(57)【特許請求の範囲】
【請求項１】
マイク、スピーカ及び撮像部を有した監視カメラと、
前記監視カメラと無線接続し、固定電話網に接続されて他固定電話機と接続する親機と、を備え、
前記親機は、音源リストデータを、前記親機と接続するとともに携帯電話網を介して他携帯電話機と接続する携帯電話端末に転送し、前記携帯電話端末で前記音源リストデータから選択されたいずれかの音源に関する情報を受信し、
前記親機は、選択された前記音源が前記親機に記憶されているときは、前記監視カメラに前記音源を送信し、前記監視カメラの前記スピーカから前記音源を出力させるように前記監視カメラに指示し、選択された前記音源が前記監視カメラに記憶されているときは、前記音源を有する前記監視カメラの前記スピーカから前記音源を出力させるように前記監視カメラに指示する、
通信システム。
【請求項２】
請求項１に記載の通信システムであって、
前記監視カメラは、前記マイクで収音した音声データ及び前記撮像部で得た画像データを前記親機に送信し、
前記親機は、前記携帯電話端末の操作に応じて、前記監視カメラから送信された前記音声データ及び前記画像データを前記携帯電話端末に転送する、
通信システム。
【請求項３】
請求項１に記載の通信システムであって、
前記親機は、前記携帯電話端末にて収音されたユーザの通話音声を受信し、前記通話音声と記憶された前記音源とを合成した合成音声データを前記監視カメラに転送し、
前記監視カメラは、前記親機から転送された前記合成音声データを前記スピーカから出力し、前記マイクが収音した通話相手の通話音声データを前記親機に送信し、
前記親機は、前記監視カメラから送信された前記通話相手の通話音声データを前記携帯電話端末に転送する、
通信システム。
【請求項４】
マイク、スピーカ及び撮像部を有した監視カメラと、
前記監視カメラと無線接続し、固定電話網に接続されて他固定電話機と接続する親機と、を備えた通信システムにおける音源再生方法であって、
前記親機は、音源リストデータを、前記親機と接続するとともに携帯電話網を介して他携帯電話機と接続する携帯電話端末に転送し、前記携帯電話端末で前記音源リストデータから選択されたいずれかの音源に関する情報を受信し、
前記親機は、選択された前記音源が前記親機に記憶されているときは、前記監視カメラに前記音源を送信し、前記監視カメラの前記スピーカから前記音源を出力させるように前記監視カメラに指示し、選択された前記音源が前記監視カメラに記憶されているときは、前記音源を有する前記監視カメラの前記スピーカから前記音源を出力させるように前記監視カメラに指示する、
通信システムにおける音源再生方法。
【発明の詳細な説明】
【技術分野】
【０００１】
本発明は、携帯電話端末とカメラとの間でデータの入出力を行う通信システム及び通信システムにおける音源再生方法に関する。
【背景技術】
【０００２】
従来、携帯電話端末とカメラとの間でデータの入出力を行う監視システムの一例として、遠隔地からも容易に遠隔監視し、映像及び音声の双方向通信によって監視対象を監視する監視カメラシステムが知られている（例えば特許文献１参照）。
【０００３】
特許文献１に示す監視システムは、所定の住宅敷地内（構内）の宅内分電盤に設置された監視サーバであるコントローラと、玄関門扉に設置されたインターフォン子機である第１カメラユニットと、ダイニングルームに設置された第２カメラユニットと、ベッドルームに設置された第３カメラユニットと、リビングルームに設置されたインターフォン親機である室内ユニットと、１つ以上の遠隔地にある携帯電話機とを含む構成である。例えば住人の外出時には、コントローラは、各カメラユニットが侵入者を検出する度に、侵入者を捕捉するように撮像及び収音した映像信号及び音声信号を切り替えて携帯電話機に転送する。
【先行技術文献】
【特許文献】
【０００４】
【特許文献１】特開２００７−３２３５３３号公報
【発明の概要】
【発明が解決しようとする課題】
【０００５】
しかし、上述した特許文献１の構成では、侵入者の動き及び音を捕捉するように各カメラユニットからの映像信号及び音声信号を適宜切り替えて携帯電話機に転送するので、コントローラの構成が複雑となり、費用のコストアップが避けられず、コントローラを含む監視システムの導入を安価に行うことが困難であった。
【０００６】
本発明は、従来の問題を解決するために、固定電話網に接続されて他の固定電話機と接続する既存の固定電話機を用いて、携帯電話端末とカメラとのデータの入出力を、ユーザの利便性を損なうことなく安価に実現する通信システム及び通信システムにおける音源再生方法を提供することを目的とする。
【課題を解決するための手段】
【０００７】
本発明は、マイク、スピーカ及び撮像部を有した監視カメラと、前記監視カメラと無線通信し、固定電話網に接続されて他固定電話機と接続する親機と、を備え、前記親機は、音源リストデータを、前記親機と接続するとともに携帯電話網を介して他携帯電話機と接続する携帯電話端末に転送し、前記携帯電話端末で前記音源リストデータから選択されたいずれかの音源に関する情報を受信し、前記親機は、選択された前記音源が前記親機に記憶されているときは、前記監視カメラに前記音源を送信し、前記監視カメラの前記スピーカから前記音源を出力させるように前記監視カメラに指示し、選択された前記音源が前記監視カメラに記憶されているときは、前記音源を有する前記監視カメラの前記スピーカから前記音源を出力させるように前記監視カメラに指示する、通信システムである。また、本発明は、マイク、スピーカ及び撮像部を有した監視カメラと、前記監視カメラと無線接続し、固定電話網に接続されて他固定電話機と接続する親機と、を備えた通信システムにおける音源再生方法であって、前記親機は、音源リストデータを、前記親機と接続するとともに携帯電話網を介して他携帯電話機と接続する携帯電話端末に転送し、前記携帯電話端末で前記音源リストデータから選択されたいずれかの音源に関する情報を受信し、前記親機は、選択された前記音源が前記親機に記憶されているときは、前記監視カメラに前記音源を送信し、前記監視カメラの前記スピーカから前記音源を出力させるように前記監視カメラに指示し、選択された前記音源が前記監視カメラに記憶されているときは、前記音源を有する前記監視カメラの前記スピーカから前記音源を出力させるように前記監視カメラに指示する、通信システムにおける音源再生方法である。
【発明の効果】
【０００８】
本発明によれば、固定電話網に接続されて他の固定電話機と通話可能な既存の固定電話機を用いて、携帯電話端末とカメラとのデータの入出力を、ユーザの利便性を損なうことなく安価に実現することができる。
【図面の簡単な説明】
【０００９】
【図１】本実施形態の監視カメラシステムのシステム構成の一例を示す図
【図２】親機の内部構成の一例を示すブロック図
【図３】コードレス子機の内部構成の一例を示すブロック図
【図４】カメラの内部構成の一例を示すブロック図
【図５】センサの内部構成の一例を示すブロック図
【図６】スマートフォンの内部構成の一例を示すブロック図
【図７】（Ａ）親機が有する選択対象ララバイ音源を含むララバイ音源リストがスマートフォンに表示されたララバイ音源選択画面の一例を示す図、（Ｂ）ベビーモニタカメラが有する選択対象ララバイ音源を含むララバイ音源リストがスマートフォンに表示されたララバイ音源選択画面の一例を示す図、（Ｃ）スマートフォンが有する選択対象ララバイ音源を含むララバイ音源リストがスマートフォンに表示されたララバイ音源選択画面の一例を示す図
【図８】ベビーモニタカメラの録画中にスマートフォンに表示されたライブモニタ画面の一例を示す図
【図９】本実施形態の監視カメラシステムにおいて親機がベビーモニタカメラの録画中の画像をスマートフォンに転送して表示させる動作手順の一例を説明するシーケンス図
【図１０】選択対象ララバイ音源を親機又はベビーモニタカメラが有する場合の本実施形態の監視カメラシステムにおける動作手順の一例を説明するシーケンス図
【図１１】選択対象ララバイ音源をスマートフォンが有する場合の本実施形態の監視カメラシステムにおける動作手順の一例を説明するシーケンス図
【発明を実施するための形態】
【００１０】
以下、本発明に係る監視システムを具体的に開示した実施形態（以下、「本実施形態」という）について、図面を参照しながら説明する。以下の本実施形態では、本発明に係る監視システムの一例として、ホームセキュリティに用いられる監視カメラシステムを例示して説明する。なお、本発明は、監視カメラシステムに限定されず、監視カメラシステムを構成する各装置又は各装置における方法、プログラムとして表現することも可能である。
【００１１】
本実施形態の監視カメラシステムは、マイク、スピーカ及び撮像部を有し、通話機能を備えた監視カメラと、監視カメラと通信可能であり、固定電話網に接続されて他固定電話機と通話可能な親機と、表示入力部を有し、親機との間で無線ルータを用いて無線通信可能であり、携帯電話網を介して他携帯電話機と接続する携帯電話端末と、を備える。親機は、表示入力部に対する所定の第１操作に応じて、所定の音源リストデータを携帯電話端末に転送し、携帯電話端末は、親機から転送された所定の音源リストデータを表示入力部に表示し、音源リストデータからのいずれかの音源の選択操作に応じて、選択された音源に関する情報を親機に送信し、親機は、携帯電話端末から音源に関する情報を受信すると、選択された音源に関する情報に対応する選択音声データを監視カメラのスピーカから出力させる。
【００１２】
図１は、本実施形態の監視カメラシステム５のシステム構成の一例を示す図である。監視カメラシステム５は、主に宅内８に設置されており、親機１０と、２台のコードレス子機（以下、単に「子機」ともいう）２０Ａ，２０Ｂと、複数台のカメラ（屋内カメラ３０Ａ，監視カメラ３０Ｂ，ベビーモニタカメラ３０Ｃ，…）と、各種センサ（具体的には、人感センサ４０Ａ，４０Ｂ，煙センサ４０Ｃ，開閉センサ４０Ｄ，…）と、スマートフォン５０と、無線ルータ６０とを含む構成である。なお、この監視カメラシステム５の構成は一例であり、種々の態様に変更可能である。
【００１３】
監視カメラシステム５におけるゲートウェアとしての機能を有する親機１０は、監視カメラシステム５の全体の動作を制御する制御装置であり、例えばＤＥＣＴ（Digital Enhanced Cordless Telecommunications）の通信方式を用いて、子機、カメラ、センサ等と通信可能に接続される。また、親機１０は、無線ＬＡＮを用いた無線ルータ６０を介してインターネット６５に接続される。また、親機１０は、有線で固定電話網８５に接続され、固定電話機８０と通話可能である。また、親機１０は、差込口１０ａに挿入された子機２０Ａを充電する機能を有する。
【００１４】
子機２０Ａ，２０Ｂは、ＤＥＣＴの通信方式を用いて親機１０と接続され、親機１０と通話可能である。以下、特に２台の子機２０Ａ，２０Ｂを区別する必要が無い場合には、子機２０と総称する。
【００１５】
各種センサ４０（具体的には、人感センサ４０Ａ，４０Ｂ，煙センサ４０Ｃ，開閉センサ４０Ｄ，…）は、ＤＥＣＴの通信方式を用いて親機１０と接続される。ここでは、センサとして、窓の開閉を検出する開閉センサ４０Ｄ、煙を感知する煙センサ４０Ｃ、及び赤外線によって人を感知する人感センサ４０Ａ，４０Ｂが用いられる。以下、特にこれらのセンサの種類を区別する必要が無い場合には、センサ４０と総称する。また、後述するように、カメラ３０に内蔵された赤外線センサ３１３（図４参照）も、人感センサとして用いられる。
【００１６】
複数台のカメラ（例えば屋内カメラ３０Ａ，監視カメラ３０Ｂ，ベビーモニタカメラ３０Ｃ，…）は、通話機能を有し、ＤＥＣＴの通信方式を用いて親機１０と接続される。ここでは、カメラとして、屋外を撮像する監視カメラ３０Ｂ、宅内８を撮像する屋内カメラ３０Ａ、及び乳幼児の睡眠場所（例えばベビーベッド（不図示）若しくはその周囲）を撮像するベビーモニタカメラ３０Ｃが用いられる。以下、特にカメラの種類を区別する必要が無い場合、カメラ３０と総称する。
【００１７】
スマートフォン５０は、無線ＬＡＮを用いた無線ルータ６０を介して親機１０と接続され、また、３Ｇ（第３世代）、ＨＳＰＡ（High Speed Packet Access）若しくはＬＴＥ（Long Term Evolution）等の通信方式を用いた携帯電話網７５を介して携帯電話機７０や他のスマートフォン等と接続される。
【００１８】
図２は、親機１０の内部構成の一例を示すブロック図である。親機１０は、制御部１０９と、記憶部１０３と、操作部１０５と、表示部１０６とを含む構成である。親機１０は、各種の入力操作を受け付け、表示部１０６に画像や後述するララバイ音源選択画面等の情報を表示する。なお、ララバイ音源とは、カメラ３０（例えばベビーモニタカメラ３０Ｃ）において出力（再生）可能な音声データであり、例えば乳幼児に向けて聞かせるような子守歌等の音声データである。制御部１０９は、呼制御部１１０及び音声ストリーム処理部１１２を内蔵し、通話の呼制御や音声データの処理等を行う。また、親機１０は、ベビーモニタカメラ３０Ｃにおいて出力可能な１つ以上のララバイ音源の音声データを記憶部１０３に記憶している。
【００１９】
また、親機１０は、画像メモリ制御部１１５と、画像メモリ１１６とを有し、カメラ３０で撮像された画像データ等を画像メモリ１１６に記憶する。
【００２０】
また、親機１０は、無線ＬＡＮ制御部１２１と、無線ＬＡＮ通信Ｉ／Ｆ部１２２とを有し、無線ＬＡＮで接続された無線ルータ６０を介してスマートフォン５０、カメラ３０等と画像データ及び音声データを送受信する。
【００２１】
また、親機１０は、ＤＥＣＴプロトコル制御部１０８と、ＤＥＣＴ無線Ｉ／Ｆ部１０７とを有し、ＤＥＣＴの無線方式を用いて、子機２０、センサ４０及びカメラ３０と無線接続を行う。
【００２２】
また、親機１０は、音声バス１１７と、音声入出力制御部１０４と、スピーカ１２９と、マイク１２８とを有し、外部に対して音声の入出力を行う。
【００２３】
また、親機１０は、固定電話回線Ｉ／Ｆ部１０１を有し、固定電話網８５に接続された外部の固定電話機８０（図１参照）と通話可能である。
【００２４】
また、親機１０は、子機／携帯端末充電部１２６を有し、差込口１０ａに挿入された子機２０若しくはスマートフォン５０を充電する。
【００２５】
また、親機１０は、ＵＳＢ通信Ｉ／Ｆ部１２７を有し、ＵＳＢ（Universal Serial Bus）規格のインタフェースを有する機器やメモリ等とデータを送受信する。
【００２６】
また、親機１０は、各種センサ４０と複数のカメラ３０とのペアをそれぞれ関連付けて記憶部１０３に登録する。例えば、人感センサ４０Ｂと監視カメラ３０Ｂとは、屋外の近接した場所に設置されているので、関連付けて登録される。また、監視カメラ３０Ｂは、後述するように、人感センサである赤外線センサ３１３（図４参照）を一体として内蔵するので、この赤外線センサ３１３とも関連付けて登録される。また、人感センサ４０Ａと、煙センサ４０Ｃと、開閉センサ４０Ｄとは、いずれも宅内８に設置されているので、屋内カメラ３０Ａ又はベビーモニタカメラ３０Ｃのいずれかとそれぞれ関連付けて登録される。
【００２７】
図３は、（コードレス）子機２０の内部構成の一例を示すブロック図である。子機２０は、制御部２４７と、記憶部２４２と、操作部２４４と、表示部２４５とを含む構成である。子機２０は、各種の入力操作を受け付け、表示部２４５に画像や後述するララバイ音源選択画面等の情報を表示する。また、子機２０は、ベビーモニタカメラ３０Ｃにおいて出力可能な１つ以上のララバイ音源の音声データを記憶部２４２に記憶している。
【００２８】
また、子機２０は、ＤＥＣＴプロトコル制御部２４９と、ＤＥＣＴ無線Ｉ／Ｆ部２４８とを有し、ＤＥＣＴの無線方式を用いて親機１０、センサ４０及びカメラ３０と無線接続を行う。
【００２９】
また、子機２０は、音声バス２５５と、音声入出力制御部２４３と、スピーカ２５２と、マイク２５１とを有し、外部に対して音声の入出力を行う。
【００３０】
また、子機２０は、２次電池２５０を有し、コードレス子機として使用する場合には、２次電池２５０から供給された電力を子機２０の各部において供給して動作する。
【００３１】
図４は、カメラ３０の内部構成の一例を示すブロック図である。カメラ３０の一例としての屋内カメラ３０Ａ、監視カメラ３０Ｂ及びベビーモニタカメラ３０Ｃは、いずれもほぼ同じ構成を有する。カメラ３０は、制御部３０９と、記憶部３０３と、操作部３０５とを含む構成である。カメラ３０は、撮像に関する動作を行うとともに、入力操作を受け付ける。また、ベビーモニタカメラ３０Ｃは、ベビーモニタカメラ３０Ｃのスピーカ３２９において出力可能な１つ以上のララバイ音源の音声データを記憶部３０３に記憶している。
【００３２】
また、カメラ３０は、ＤＥＣＴプロトコル制御部３１７と、ＤＥＣＴ無線Ｉ／Ｆ部３１８とを有し、ＤＥＣＴの無線方式を用いて親機１０と無線接続を行う。
【００３３】
また、カメラ３０は、無線ＬＡＮ制御部３２１と、無線ＬＡＮ通信Ｉ／Ｆ部３２２とを有し、無線ＬＡＮで接続された無線ルータ６０を介して、親機１０若しくはスマートフォン５０等との間で画像データ及び音声データを送受信する。
【００３４】
また、カメラ３０は、音声バス３０７と、音声入出力制御部３０４と、スピーカ３２９と、マイク３２８とを有し、外部に対して音声の入出力を行う。例えば、カメラ３０は、マイク３２８において収音した音声データを親機１０に送信し、親機１０から転送された選択音声データ（後述参照）を含む音声データをスピーカ３２９から出力する。
【００３５】
また、カメラ３０は、撮像部３１２と、画像メモリ制御部３１６と、画像メモリ３１５とを有し、撮像部３１２で撮像された画像データを画像メモリ３１５に記憶する。撮像部３１２は、周知の撮像機構を有し、例えばレンズ及び撮像素子（ＣＣＤ（Charge Coupled Device）若しくはＣＭＯＳ（Complementary Metal Oxide Semiconductor）等のイメージセンサ）を少なくとも有する。
【００３６】
また、カメラ３０は、人感センサとして、ＰＩＲ（Passive Infra Red）センサである赤外線センサ３１３を一体に内蔵する。赤外線センサ３１３は、人が発する熱（赤外線）の変化を検出して人の存在を感知する。カメラ３０は、商用交流を電源とする電源部３１４を有する。但し、図１に示すベビーモニタカメラ３０Ｃには、図４に示す赤外線センサ３１３は設けられていない。
【００３７】
図５は、センサ４０の内部構成の一例を示すブロック図である。センサ４０は、制御部４４７と、記憶部４４２と、表示ランプ４４５とを含む構成である。センサ４０は、対象（例えば侵入者。以下同様。）を検出した場合に、表示ランプ４４５を点灯する等、所定の検出動作を行う。
【００３８】
また、センサ４０は、ＤＥＣＴプロトコル制御部４４９と、ＤＥＣＴ無線Ｉ／Ｆ部４４８とを有し、ＤＥＣＴの無線方式を用いて親機１０と無線接続を行い、対象を検出すると、センサ検出情報を親機１０に送信する。
【００３９】
センサ部４５３は、センサ４０の種類によって異なる。例えば、人感センサ４０Ａ，４０Ｂの場合、センサ部４５３は、赤外線の変化によって人を感知するＰＩＲセンサである。玄関若しくは窓等の開閉を検出する開閉センサ４０Ｄの場合、センサ部４５３は、開閉によってオン／オフに切り替わるリードスイッチである。煙センサ４０Ｃの場合、センサ部４５３は、発光した光が煙によって遮光されることで煙を感知する発光・受光部である。充電池４５０は、充電可能な電池であり、各部に電力を供給する。また、センサ部４５３は、周囲の温度を検出可能な温度センサでもよい。
【００４０】
図６は、スマートフォン５０の内部構成の一例を示すブロック図である。携帯電話端末としてのスマートフォン５０は、制御部５０６と、記憶部５０４と、表示／操作部（例えばタッチパネル）５０３とを含む構成である。スマートフォン５０は、各種の入力操作を受け付け、表示／操作部５０３に画像や後述するララバイ音源選択画面等の情報等の情報を表示する。制御部５０６は、後述するように、カメラ３０の機能を設定可能な監視機能制御部５１４を内蔵する。タッチパネルにより構成される表示／操作部５０３は、表示部及び操作部が一体化された表示入力部であり、画面に画像やアイコン等の情報を表示するとともに、スマートフォン５０のユーザ（以下、単に「ユーザ」という）による画面へのタップ操作（又はタッチ操作）を受け付ける。また、スマートフォン５０は、ベビーモニタカメラ３０Ｃにおいて出力可能な１つ以上のララバイ音源の音声データを記憶部５０４に記憶している。
【００４１】
また、スマートフォン５０は、３Ｇプロトコル制御部５０２と、３Ｇ無線Ｉ／Ｆ部５０１とを有し、３Ｇ（第３世代）の無線通信方式を用いて、携帯電話網７５に接続された携帯電話機７０や他のスマートフォンと無線接続を行う。なお、スマートフォン５０は、３Ｇ以外の無線通信方式（例えばＨＳＰＡやＬＴＥ）に対応したプロトコル制御部及び無線Ｉ／Ｆ部を有してもよい。
【００４２】
また、スマートフォン５０は、音声バス５１５と、音声入出力制御部５０５と、スピーカ５１３と、マイク５１２とを有し、外部に対して音声の入出力を行う。例えば、スマートフォン５０は、マイク５１２において収音したユーザの音声データを親機１０に送信し、カメラ３０（例えばベビーモニタカメラ３０Ｃ）が収音した通話相手の音声データの転送を親機１０から受け、親機１０から転送された音声データをスピーカ３２９から出力する。
【００４３】
また、スマートフォン５０は、無線ＬＡＮ制御部５０７と、無線ＬＡＮ通信Ｉ／Ｆ部５０８とを有し、無線ＬＡＮで接続された無線ルータ６０を介して、親機１０若しくはカメラ３０等と画像データ及び音声データを送受信する。
【００４４】
また、スマートフォン５０は、ＵＳＢ通信Ｉ／Ｆ部５１１を有し、ＵＳＢ（Universal Serial Bus）規格のインタフェースを有する機器やメモリ等とデータを送受信する。
【００４５】
次に、スマートフォン５０に表示される各種画面の例について、図７（Ａ）、図７（Ｂ）、図７（Ｃ）及び図８を参照して説明する。
【００４６】
先ず、カメラ３０（例えばベビーモニタカメラ３０Ｃ）において出力可能なララバイ音源を含むララバイ音源リストが表示されたララバイ音源選択画面について、図７（Ａ）〜（Ｃ）を参照して説明する。図７（Ａ）は、親機１０が有する選択対象ララバイ音源を含むララバイ音源リストＢＸ１がスマートフォン５０に表示されたララバイ音源選択画面の一例を示す図である。図７（Ｂ）は、ベビーモニタカメラ３０Ｃが有する選択対象ララバイ音源を含むララバイ音源リストＢＸ２がスマートフォン５０に表示されたララバイ音源選択画面の一例を示す図である。図７（Ｃ）は、スマートフォン５０が有する選択対象ララバイ音源を含むララバイ音源リストＢＸ３がスマートフォン５０に表示されたララバイ音源選択画面の一例を示す図である。以下、ベビーモニタカメラ３０Ｃにおいて出力（再生）の対象とするためにユーザにより選択されたいずれかのララバイ音源を、便宜的に「選択対象ララバイ音源」という。
【００４７】
図７（Ａ）に示すスマートフォン５０の表示／操作部５０３には、ララバイ音源として、例えば名称「Ｌｕｌｌａｂｙ  Ｌ１」、名称「Ｌｕｌｌａｂｙ  Ｌ２」、名称「Ｌｕｌｌａｂｙ  Ｌ３」、名称「Ｌｕｌｌａｂｙ  Ｌ４」、名称「Ｌｕｌｌａｂｙ  Ｌ５」の計５曲がリストアップされたララバイ音源リストＢＸ１を含むララバイ音源選択画面が表示されている。ララバイ音源選択画面では、ユーザの入力操作に応じて、いずれかのララバイ音源が選択可能である。また、図７（Ａ）に示すスマートフォン５０の表示／操作部５０３には、ｐｈｏｔｏアイコンＩＣ１とＶｉｄｅｏアイコンＩＣ２とＶｏｉｃｅアイコンＩＣ３とＬｕｌｌａｂｙアイコンＩＣ４とが選択不可に表示されている。例えばユーザが名称「Ｌｕｌｌａｂｙ  Ｌ１」を選択操作した場合には、スマートフォン５０は、選択されたララバイ音源に関する情報（例えばララバイ音源の名称「Ｌｕｌｌａｂｙ  Ｌ１」）を親機１０に送信する。なお、図７（Ａ）において、選択操作の対象となった名称「Ｌｕｌｌａｂｙ  Ｌ１」に対応する音声データ（選択音声データ）は、親機１０の記憶部１０３に記憶されている。
【００４８】
図７（Ｂ）に示すスマートフォン５０の表示／操作部５０３には、ララバイ音源として、例えば名称「Ｌｕｌｌａｂｙ  Ｌ６」、名称「Ｌｕｌｌａｂｙ  Ｌ７」、名称「Ｌｕｌｌａｂｙ  Ｌ８」、名称「Ｌｕｌｌａｂｙ  Ｌ９」、名称「Ｌｕｌｌａｂｙ  Ｌ１０」の計５曲がリストアップされたララバイ音源リストＢＸ２を含むララバイ音源選択画面が表示されている。ララバイ音源選択画面では、ユーザの入力操作に応じて、いずれかのララバイ音源が選択可能である。また、図７（Ｂ）に示すスマートフォン５０の表示／操作部５０３には、図７（Ａ）と同様に、ｐｈｏｔｏアイコンＩＣ１とＶｉｄｅｏアイコンＩＣ２とＶｏｉｃｅアイコンＩＣ３とＬｕｌｌａｂｙアイコンＩＣ４とが選択不可に表示されている。例えばユーザが名称「Ｌｕｌｌａｂｙ  Ｌ６」を選択操作した場合には、スマートフォン５０は、選択されたララバイ音源に関する情報（例えばララバイ音源の名称「Ｌｕｌｌａｂｙ  Ｌ６」）を親機１０に送信する。なお、図７（Ｂ）において、選択操作の対象となった名称「Ｌｕｌｌａｂｙ  Ｌ６」に対応する音声データ（選択音声データ）は、ベビーモニタカメラ３０Ｃの記憶部３０３に記憶されている。
【００４９】
図７（Ｃ）に示すスマートフォン５０の表示／操作部５０３には、ララバイ音源として、例えば名称「Ｌｕｌｌａｂｙ  Ｌ１１」、名称「Ｌｕｌｌａｂｙ  Ｌ１２」、…、名称「Ｌｕｌｌａｂｙ  Ｌ２０」の計１０曲がリストアップされたララバイ音源リストＢＸ３を含むララバイ音源選択画面が表示されている。ララバイ音源選択画面では、ユーザの入力操作に応じて、いずれかのララバイ音源が選択可能である。また、図７（Ｃ）に示すスマートフォン５０の表示／操作部５０３には、ｐｈｏｔｏアイコンＩＣ１とＶｉｄｅｏアイコンＩＣ２とＶｏｉｃｅアイコンＩＣ３とＬｕｌｌａｂｙアイコンＩＣ４とが選択不可に表示されている。例えばユーザが名称「Ｌｕｌｌａｂｙ  Ｌ１１」を選択操作した場合には、スマートフォン５０は、選択されたララバイ音源に関する情報（例えばララバイ音源の名称「Ｌｕｌｌａｂｙ  Ｌ１１」）を親機１０に送信する。なお、図７（Ｃ）において、選択操作の対象となった名称「Ｌｕｌｌａｂｙ  Ｌ１１」に対応する音声データ（選択音声データ）は、スマートフォン５０の記憶部５０４に記憶されている。
【００５０】
次に、カメラ３０（例えばベビーモニタカメラ３０Ｃ）が撮像したリアルタイムな画像データがスマートフォン５０において表示されたライブモニタ画面について、図８を参照して説明する。図８は、ベビーモニタカメラ３０Ｃの録画中にスマートフォン５０に表示されたライブモニタ画面の一例を示す図である。
【００５１】
図８に示すスマートフォン５０の表示／操作部５０３には、ベビーモニタカメラ３０Ｃが録画（撮像）しているリアルタイムな画像（映像でも可）ＭＶ１が表示され、撮像主体となるカメラ３０の名称（例えばベビーモニタカメラ３０Ｃ）ＮＭ１も表示されている。また、スマートフォン５０の表示／操作部５０３には、撮像主体となるカメラ３０とペアを構成するセンサ４０により検出された温度に関する情報も表示されてもよい。また、スマートフォン５０の表示／操作部５０３には、ｐｈｏｔｏアイコンＩＣ１とＶｉｄｅｏアイコンＩＣ２とＶｏｉｃｅアイコンＩＣ３とＬｕｌｌａｂｙアイコンＩＣ４ａとが選択可能に表示されており、更に、ＬｕｌｌａｂｙアイコンＩＣ４ａの上部には、現在カメラ３０（例えばベビーモニタカメラ３０Ｃ）が出力（再生）しているララバイ音源の名称（例えば名称「Ｌｕｌｌａｂｙ  Ｌ１」）のインジケータＩＤ１が表示されている。名称「Ｌｕｌｌａｂｙ  Ｌ１」のララバイ音源の音声データが出力（再生）されている間にＬｕｌｌａｂｙアイコンＩＣ４ａが選択操作されると、スマートフォン５０は、名称「Ｌｕｌｌａｂｙ  Ｌ１」のララバイ音源の音声データの出力（再生）の停止指示を親機１０に送信する。親機１０は、スマートフォン５０から送信された停止指示を受信すると、カメラ３０（例えばベビーモニタカメラ３０Ｃ）に名称「Ｌｕｌｌａｂｙ  Ｌ１」のララバイ音源の音声データの出力（再生）の停止指示を転送する。これにより、カメラ３０（例えばベビーモニタカメラ３０Ｃ）は、現在出力（再生）している名称「Ｌｕｌｌａｂｙ  Ｌ１」のララバイ音源の音声データの出力（再生）を停止する。
【００５２】
なお、カメラ３０（例えばベビーモニタカメラ３０Ｃ）においてララバイ音源の音声データが出力（再生）されていない場合には、スマートフォン５０は、音符に関するマークを有するＬｕｌｌａｂｙアイコンＩＣ４を表示／操作部５０３に表示し、一方、カメラ３０（例えばベビーモニタカメラ３０Ｃ）においてララバイ音源の音声データが出力（再生）されている場合には、スマートフォン５０は、再生の停止に関するマークを有するＬｕｌｌａｂｙアイコンＩＣ４ａを表示／操作部５０３に表示する。これにより、ユーザは、スマートフォン５０の表示／操作部５０３に表示されたＬｕｌｌａｂｙアイコンを見るだけで、カメラ３０（例えばベビーモニタカメラ３０Ｃ）においてララバイ音源の音声データが出力されているかどうかを簡易に判断できる。
【００５３】
また、ｐｈｏｔｏアイコンＩＣ１、ＶｉｄｅｏアイコンＩＣ２、ＶｏｉｃｅアイコンＩＣ３、ＬｕｌｌａｂｙアイコンＩＣ４は、それぞれ静止画（ｐｈｏｔｏ）、動画（Ｖｉｄｅｏ）、音声（通話音声等のＶｏｉｃｅ）、音源（Ｌｕｌｌａｂｙ）に応じた各種設定を行えるように予め配置されたメニューアイコンである。例えばｐｈｏｔｏアイコンＩＣ１は、カメラ３０の録画開始を指示し、カメラ３０により録画された画像の機能を設定する際に使用されるアイコンである。ＶｉｄｅｏアイコンＩＣ２は、カメラ３０の録画開始を指示し、カメラ３０により録画された映像の機能を設定する際に使用されるアイコンである。ＶｏｉｃｅアイコンＩＣ３は、カメラ３０との間の双方向の通話開始を指示し、カメラ３０との間の双方向通話の機能を設定する際に使用されるアイコンである。
【００５４】
また例えばカメラ３０（例えばベビーモニタカメラ３０Ｃ）においてララバイ音源の音声データが出力（再生）されていない場合に、ＬｕｌｌａｂｙアイコンＩＣ４がタップ操作された時、スマートフォン５０は、図７（Ａ）〜図７（Ｃ）のうちいずれかのララバイ音源選択画面を表示／操作部５０３に表示する。
【００５５】
次に、本実施形態の監視カメラシステム５の動作について、図９、図１０及び図１１を参照して説明する。図９は、本実施形態の監視カメラシステム５において親機１０がベビーモニタカメラ３０Ｃの録画中の画像をスマートフォン５０に転送して表示させる動作手順の一例を説明するシーケンス図である。なお、図９では、説明を簡単にするために、カメラ３０の一例としてベビーモニタカメラ３０Ｃを用いているが、他のカメラ３０でもよい。
【００５６】
また、スマートフォン５０には、本実施形態の監視カメラシステム５に対応したホームセキュリティ用のアプリケーションが予めインストールされており、ユーザの入力操作により、このアプリケーションが起動しているとする。
【００５７】
図９において、親機１０は、所定のトリガ動作の検出情報（例えば人感センサ４０Ｂがベビーベッドに近付こうとする人物を検出した場合に親機１０に出力した検出信号）を取得すると（Ｓ１）、無線ＬＡＮを用いてスマートフォン５０との間で無線通信の接続を行い（Ｓ２）、スマートフォン５０との間の無線通信の接続が完了すると、スマートフォン５０に所定のトリガ動作の検出情報（上述参照）を転送する（Ｓ３）。
【００５８】
スマートフォン５０は、ユーザにより、画像／音声データの転送要求の指示操作を受け付けると（Ｓ４）、画像／音声データの転送要求の指示操作の情報を送信する（Ｓ５）。親機１０は、スマートフォン５０からの指示操作の情報を受信すると、ベビーモニタカメラ３０Ｃに対し、画像／音声データの転送を要求する（Ｓ６）。なお、親機１０は、スマートフォン５０に所定のトリガ動作の検出情報（上述参照）を転送すると同時に、ベビーモニタカメラ３０Ｃに対し、画像／音声データの転送を要求してもよい（Ｓ６）。
【００５９】
ベビーモニタカメラ３０Ｃは、親機１０からの画像／音声データの転送要求を受信すると、無線ＬＡＮを用いて親機１０との間で無線通信の接続を行い、撮像部３１２で撮像した画像データ及びマイク３２８で収音した音声データを取得して親機１０に転送する（Ｓ７）。親機１０は、ベビーモニタカメラ３０Ｃから転送された画像データ及び音声データをスマートフォン５０に転送する（Ｓ８）。スマートフォン５０は、親機１０から転送された画像データを表示／操作部５０３に表示し、更に、親機１０から転送された音声データをスピーカ５１３から出力する。これにより、スマートフォン５０は、図８に示すライブモニタ画面を表示できる（Ｓ９）。
【００６０】
次に、スマートフォン５０に対するユーザの入力操作に応じて、ベビーモニタカメラ３０Ｃからララバイ音源の音声データを出力（再生）する動作について、図１０及び図１１を参照して説明する。
【００６１】
図１０は、選択対象ララバイ音源を親機１０又はベビーモニタカメラ３０Ｃが有する場合の本実施形態の監視カメラシステム５における動作手順の一例を説明するシーケンス図である。図１１は、選択対象ララバイ音源をスマートフォン５０が有する場合の本実施形態の監視カメラシステム５における動作手順の一例を説明するシーケンス図である。図１１では、図１０の説明と重複する内容については同一のステップ番号を付与して説明を簡略化又は省略し、異なる内容について説明する。
【００６２】
図１０において、図８に示すライブモニタ画面がスマートフォン５０の表示／操作部５０３に表示されている状態で、ユーザがララバイ設定を指示するための操作（例えばＬｕｌｌａｂｙアイコンＩＣ４のタップ操作）を行うと（Ｓ１１）、スマートフォン５０は、ララバイ設定要求を親機１０に送信する（Ｓ１２）。
【００６３】
親機１０は、スマートフォン５０から送信されたララバイ設定要求を受信すると、図７（Ａ）〜図７（Ｃ）のうちいずれかに示すララバイ音源選択画面を生成するために、ララバイ音源リストを記憶部１０３から読み出す（Ｓ１３）。親機１０は、ララバイ音源リストが記憶部１０３に記憶されていない場合には、ララバイ音源リストの読出指示をベビーモニタカメラ３０Ｃに送信する。ベビーモニタカメラ３０Ｃは、親機１０からのララバイ音源リストの読出指示に応じて、ララバイ音源リストを読み出し（Ｓ１３’）、ララバイ音源リストを親機１０に送信する。
【００６４】
親機１０は、ララバイ音源リストを取得すると、ララバイ音源リストを用いて、図７（Ａ）〜図７（Ｃ）のうちいずれかに示すララバイ音源選択画面を生成し（Ｓ１４）、ララバイ音源選択画面をスマートフォン５０に送信する（Ｓ１５）。これにより、図７（Ａ）〜図７（Ｃ）のララバイ音源リストＢＸ１〜ＢＸ３のうちいずれかに示すララバイ音源リスト選択画面がスマートフォン５０の表示／操作部５０３に表示される。
【００６５】
ここで、ユーザがスマートフォン５０に表示されたララバイ音源リスト選択画面に対し、いずれかのララバイ音源が選択されたとする（Ｓ１６）。ステップＳ１６では、例えばベビーモニタカメラ３０Ｃが記憶しているララバイ音源の音声データが選択されたとする。但し、スマートフォン５０は、選択されたララバイ音源の音声データがベビーモニタカメラ３０Ｃにおいて記憶されていることは把握できない。スマートフォン５０は、ステップＳ１６において選択されたララバイ音源に関する情報（例えば図７（Ｂ）に示す名称「Ｌｕｌｌａｂｙ  Ｌ６」）を親機１０に送信する（Ｓ１７）。
【００６６】
親機１０は、ステップＳ１７においてスマートフォン５０から送信されたララバイ音源に関する情報（上述参照）を受信すると、選択されたララバイ音源に関する情報とステップＳ１４において取得したララバイ音源リストとを基に、選択されたララバイ音源（選択対象ララバイ音源）がベビーモニタカメラ３０Ｃにより記憶されていることを判定する（Ｓ１８）。親機１０は、ステップＳ１８において選択対象ララバイ音源がベビーモニタカメラ３０Ｃにより記憶されていることを判定したので、ベビーモニタカメラ３０Ｃに対し、選択対象ララバイ音源の出力（再生）を指示する（Ｓ１９）。
【００６７】
ベビーモニタカメラ３０Ｃは、ステップＳ１９の親機１０からの指示に従い、選択対象ララバイ音源の音声データを記憶部３０３から読み出してスピーカ３２９から出力（再生）する（Ｓ２０）。なお、ステップＳ１６ａ〜ステップＳ２０ａの処理の説明の前提や、ステップＳ１６ａ〜ステップＳ２５の処理の説明の前提として、図１０に示すステップＳ１１〜ステップＳ１５の動作が先に行われているので、重複した内容の説明は簡略化又は省略し、異なる内容について説明する。
【００６８】
また、ユーザがスマートフォン５０に表示されたララバイ音源リスト選択画面に対し、いずれかのララバイ音源が選択されたとする（Ｓ１６ａ）。ステップＳ１６ａでは、例えば親機１０が記憶しているララバイ音源の音声データが選択されたとする。但し、スマートフォン５０は、選択されたララバイ音源の音声データが親機１０において記憶されていることは把握できない。スマートフォン５０は、ステップＳ１６ａにおいて選択されたララバイ音源に関する情報（例えば図７（Ａ）に示す名称「Ｌｕｌｌａｂｙ  Ｌ１」）を親機１０に送信する（Ｓ１７ａ）。
【００６９】
親機１０は、ステップＳ１７ａにおいてスマートフォン５０から送信されたララバイ音源に関する情報（上述参照）を受信すると、ララバイ音源に関する情報とステップＳ１４において取得したララバイ音源リストとを基に、選択されたララバイ音源（選択対象ララバイ音源）が親機１０自身により記憶されていることを判定する（Ｓ１８ａ）。親機１０は、ステップＳ１８ａにおいて選択対象ララバイ音源が親機１０により記憶されていることを判定したので、ベビーモニタカメラ３０Ｃに対し、記憶部１０３から読み出した選択対象ララバイ音源の音声データとその音声データの出力（再生）の指示情報とを送信する（Ｓ１９ａ）。
【００７０】
ベビーモニタカメラ３０Ｃは、ステップＳ１９ａにおいて親機１０から送信された選択対象ララバイ音源の音声データの出力（再生）の指示情報に従い、親機１０から送信された選択対象ララバイ音源の音声データをスピーカ３２９から出力（再生）する（Ｓ２０ａ）。
【００７１】
また本実施形態では、スマートフォン５０が収音したユーザの通話音声とベビーモニタカメラ３０Ｃが収音した通話相手の通話音声とを、親機１０を介して双方向に通信可能である。例えば、ステップＳ１６ａに示すララバイ音源の選択操作と並行して、ユーザが何かしらの通話音声をスマートフォン５０に対して発した場合、スマートフォン５０は、ユーザの通話音声を親機１０に送信する（Ｓ２１）。
【００７２】
親機１０は、ステップＳ１７ａにおいてスマートフォン５０から送信されたララバイ音源に関する情報（上述参照）とステップＳ２１においてスマートフォン５０から送信されたユーザの通話音声とを受信すると、選択されたララバイ音源に関する情報とステップＳ１４において取得したララバイ音源リストとを基に、選択されたララバイ音源（選択対象ララバイ音源）が親機１０自身により記憶されていることを判定する（Ｓ１８ｂ）。更に、親機１０は、選択対象ララバイ音源の音声データとユーザの通話音声とを合成する（Ｓ１８ｂ）。
【００７３】
なお、親機１０は、ベビーモニタカメラ３０Ｃが音声をステレオ再生するタイプであることを予め把握している場合には、例えば選択対象ララバイ音源の音声データをＬｃｈ（チャンネル）に指定し、更に、ユーザの通話音声をＲｃｈ（チャンネル）に指定して合成する。なお、ＬｃｈやＲｃｈへの音声データの指定は逆でもよい。親機１０は、ステップＳ１８ｂにおいて生成した合成出力の音声データをベビーモニタカメラ３０Ｃに転送する（Ｓ１９ｂ）。
【００７４】
ベビーモニタカメラ３０Ｃは、ステップＳ１９ｂにおいて親機１０から転送された合成出力の音声データをスピーカ３２９から出力（再生）する（Ｓ２０ｂ）。ベビーモニタカメラ３０Ｃは、音声をモノラル再生するタイプである場合には、合成出力の音声データを１ｃｈ（チャンネル）によって出力（再生）し、又は音声をステレオ再生するタイプである場合には、合成出力の音声データのうち指定されたチャンネル（具体的には、Ｌｃｈ又はＲｃｈ）に対応する音声データ（具体的には、選択対象ララバイ音源の音声データ又はユーザの通話音声）を該当するチャンネルによって出力（再生）する。
【００７５】
ベビーモニタカメラ３０Ｃは、ユーザの通話相手（例えばユーザが監視したい乳幼児）の音声を収音した場合には（Ｓ２２）、収音した通話音声の音声データを親機１０に送信する（Ｓ２３）。親機１０は、ベビーモニタカメラ３０Ｃから送信された通話音声の音声データを受信するとそのままスマートフォン５０に転送する（Ｓ２４）。スマートフォン５０は、親機１０から転送された通話相手の通話音声の音声データをスピーカ５１３から出力する（Ｓ２５）。
【００７６】
図１１において、親機１０は、スマートフォン５０からララバイ設定要求を受信すると、例えばスマートフォン５０が記憶するララバイ音源リストを予め記憶部１０３に記憶しているか、又は都度スマートフォン５０に要求してララバイ音源リストを取得するかのいずれかにより、図７（Ａ）〜図７（Ｃ）のうちいずれかに示すララバイ音源選択画面を生成し（Ｓ１４ｃ）、ララバイ音源選択画面をスマートフォン５０に送信する（Ｓ１５）。これにより、図７（Ａ）〜図７（Ｃ）のララバイ音源リストＢＸ１〜ＢＸ３のうちいずれかに示すララバイ音源リスト選択画面がスマートフォン５０の表示／操作部５０３に表示される。
【００７７】
ここで、ユーザがスマートフォン５０に表示されたララバイ音源リスト選択画面に対し、いずれかのララバイ音源が選択されたとする（Ｓ１６ｃ）。ステップＳ１６ｃでは、例えばスマートフォン５０が記憶しているララバイ音源（例えば図７（Ｂ）に示す名称「Ｌｕｌｌａｂｙ  Ｌ１１」）の音声データが選択されたとする。スマートフォン５０は、ステップＳ１６ｃにおいて選択されたララバイ音源（選択対象ララバイ音源）の音声データを親機１０に送信する（Ｓ１７ｃ）。
【００７８】
親機１０は、ステップＳ１７ｃにおいてスマートフォン５０から送信された選択対象ララバイ音源の音声データを受信すると、ステップＳ１４ｃにおいて取得したララバイ音源リストを基に、選択対象ララバイ音源がスマートフォン５０により記憶されていることを判定する（Ｓ１８ｃ）。親機１０は、ベビーモニタカメラ３０Ｃに対し、選択対象ララバイ音源の音声データとその出力（再生）の指示とを送信する（Ｓ１９ｃ）。
【００７９】
ベビーモニタカメラ３０Ｃは、ステップＳ１９ｃの親機１０からの指示に従い、選択対象ララバイ音源の音声データをスピーカ３２９から出力（再生）する（Ｓ２０）。
【００８０】
また同様に、ステップＳ１６ｃに示すララバイ音源の選択操作と並行して、ユーザが何かしらの通話音声をスマートフォン５０に対して発した場合、スマートフォン５０は、ユーザの通話音声を親機１０に送信する（Ｓ２１）。
【００８１】
親機１０は、ステップＳ１７ｃにおいてスマートフォン５０から送信された選択対象ララバイ音源の音声データとステップＳ２１においてスマートフォン５０から送信されたユーザの通話音声とを受信すると、ステップＳ１４ｃにおいて取得したララバイ音源リストとを基に、選択されたララバイ音源（選択対象ララバイ音源）がスマートフォン５０により記憶されていることを判定する（Ｓ１８ｄ）。更に、親機１０は、選択対象ララバイ音源の音声データとユーザの通話音声とを合成する（Ｓ１８ｄ）。
【００８２】
なお、親機１０は、ベビーモニタカメラ３０Ｃが音声をステレオ再生するタイプであることを予め把握している場合には、例えば選択対象ララバイ音源の音声データをＬｃｈ（チャンネル）に指定し、更に、ユーザの通話音声をＲｃｈ（チャンネル）に指定して合成する。親機１０は、ステップＳ１８ｄにおいて生成した合成出力の音声データをベビーモニタカメラ３０Ｃに転送する（Ｓ１９ｄ）。
【００８３】
ベビーモニタカメラ３０Ｃは、ステップＳ１９ｄにおいて親機１０から転送された合成出力の音声データをスピーカ３２９から出力（再生）する（Ｓ２０ｂ）。ベビーモニタカメラ３０Ｃは、音声をモノラル再生するタイプである場合には、合成出力の音声データを１ｃｈ（チャンネル）によって出力（再生）し、又は音声をステレオ再生するタイプである場合には、合成出力の音声データのうち指定されたチャンネル（具体的には、Ｌｃｈ又はＲｃｈ）に対応する音声データ（具体的には、選択対象ララバイ音源の音声データ又はユーザの通話音声）を該当するチャンネルによって出力（再生）する。
【００８４】
ベビーモニタカメラ３０Ｃは、ユーザの通話相手（例えばユーザが監視したい乳幼児）の音声を収音した場合には（Ｓ２２）、収音した通話音声の音声データを親機１０に送信する（Ｓ２３）。親機１０は、ベビーモニタカメラ３０Ｃから送信された通話音声の音声データを受信するとそのままスマートフォン５０に転送する（Ｓ２４）。スマートフォン５０は、親機１０から転送された通話相手の通話音声の音声データをスピーカ５１３から出力する（Ｓ２５）。
【００８５】
以上により、本実施形態の監視カメラシステム５では、親機１０は、スマートフォン５０に対するユーザのララバイ設定の入力操作に応じて、ララバイ音源リストのデータをスマートフォン５０に転送し、スマートフォン５０は、親機１０から転送されたララバイ音源リストのデータを表示／操作部５０３に表示し、いずれかのララバイ音源の選択操作に応じて、選択された選択対象ララバイ音源に関する情報を親機１０に送信する。親機１０は、スマートフォン５０から選択対象ララバイ音源に関する情報を受信すると、選択対象ララバイ音源の音声データをベビーモニタカメラ３０Ｃから出力させる。
【００８６】
これにより、監視カメラシステム５は、固定電話網８５に接続されて他の固定電話機８０と通話可能な既存の固定電話機である親機１０を用いて、スマートフォン５０とカメラ３０（例えばベビーモニタカメラ３０Ｃ）とのデータの入出力を、ユーザの利便性を損なうことなく安価に実現できる。また、監視カメラシステム５は、スマートフォン５０を使用するユーザが宅内８にいてもいなくても、例えばスマートフォン５０に対する簡単な操作により遠隔地から、宅内８のベビーモニタカメラ３０Ｃから流れる音楽を自由に選択でき、例えば監視対象である乳幼児と同じ部屋にいなくても乳幼児にユーザ又は乳幼児の嗜好に合わせた音楽を聞かせることができる。
【００８７】
また、監視カメラシステム５では、親機１０は、スマートフォン５０とカメラ３０（例えばベビーモニタカメラ３０Ｃ）との間で双方向の音声通話を可能とするので、ユーザ（例えば乳幼児の保護者）の声を乳幼児に聞かせて安心させることができる。
【００８８】
また、監視カメラシステム５では、カメラ３０（例えばベビーモニタカメラ３０Ｃ）は、マイク３２８で収音した音声データ及び撮像部３１２で得た画像データを親機１０に送信し、親機１０は、スマートフォン５０に対する画像及び音声の転送要求の操作に応じて、カメラ３０（例えばベビーモニタカメラ３０Ｃ）から送信された音声データ及び画像データをスマートフォン５０に転送する。これにより、監視カメラシステム５では、ユーザは、例えば宅内８にいてもベビーベッドの付近にいない場合や外出先にいる場合でも、スマートフォン５０に表示された画像（映像）や音声を視たり聴いたりして乳幼児が泣いている状況を簡易に把握できるので、その状況を把握した後にスマートフォン５０に対して簡易な操作によってユーザ又は乳幼児が好きなララバイ音源の音声データを聴かせたりユーザの声を聴かせることで乳幼児を宥めることができる。
【００８９】
また、監視カメラシステム５では、親機１０は、選択対象ララバイ音源の音声データとして、親機１０、カメラ３０（例えばベビーモニタカメラ３０Ｃ）及びスマートフォン５０のうちいずれかに記憶されている音声データを用いることができるので、例えばスマートフォン５０に他のララバイ音源の音声データを追加することで、予め登録されていない楽曲数を簡単に増やすことができる。なお、ユーザや乳幼児にとって必要ないララバイ音源の音声データがある場合には、親機１０は、スマートフォン５０に対してユーザが不要なララバイ音源の音声データを削除するための操作を行った場合に、削除後（更新後）のララバイ音源の音声データのリストを親機１０に送信することで、最新のララバイ音源リストに更新できる。
【００９０】
また、監視カメラシステム５では、親機１０は、スマートフォン５０から送信されたユーザの通話音声の音声データとスマートフォン５０若しくは親機１０が登録している選択対象ララバイ音源の音声データとを合成した合成音声データをカメラ３０（例えばベビーモニタカメラ３０Ｃ）に転送し、カメラ３０（例えばベビーモニタカメラ３０Ｃ）は、親機１０から転送された合成音声データをスピーカ３２９から出力し、収音した通話相手の通話音声の音声データを親機１０に送信する。親機１０は、通話相手の通話音声の音声データをスマートフォン５０に転送し、スマートフォン５０は、親機１０から転送された通話相手の通話音声の音声データを出力する。
【００９１】
これにより、監視カメラシステム５では、選択対象ララバイ音源の音声データがスマートフォン５０、親機１０及びカメラ３０（例えばベビーモニタカメラ３０Ｃ）のうちいずれに登録されていても、カメラ３０（例えばベビーモニタカメラ３０Ｃ）は、スマートフォン５０の表示／操作部５０３においてユーザの操作によって選択された選択対象ララバイ音源の音声データを出力できる。更に、監視カメラシステム５は、カメラ３０（例えばベビーモニタカメラ３０Ｃ）において選択対象ララバイ音源の音声を出力（再生）しながら、親機１０を介して、スマートフォン５０とカメラ３０（例えばベビーモニタカメラ３０Ｃ）との間で双方向通話を行うことができる。
【００９２】
以上、図面を参照しながら各種の実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【産業上の利用可能性】
【００９３】
本発明は、携帯端末がカメラから転送された画像データを表示し、固定電話網に接続されて他の固定電話機と接続する既存の固定電話機を用いて、携帯電話端末とカメラとのデータの入出力を、ユーザの利便性を損なうことなく安価に実現する通信システム及び通信システムにおける音源再生方法として有用である。
【符号の説明】
【００９４】
５  監視システム
８  宅内
１０  親機
１０ａ  差込口
２０、２０Ａ、２０Ｂ  （コードレス）子機
３０、３０Ａ、３０Ｂ  カメラ
３０Ｃ  ベビーモニタカメラ
４０  センサ
４０Ａ、４０Ｂ  人感センサ
４０Ｃ  煙センサ
５０  スマートフォン
６０  無線ルータ
６５  インターネット
７０  携帯電話機
７５  携帯電話網
８０  固定電話機
８５  固定電話網
１０１  固定電話回線Ｉ／Ｆ部
１０３、２４２、３０３、４４２、５０４  記憶部
１０４、２４３、３０４、５０５  音声入出力制御部
１０５、２４４、３０５  操作部
１０６、２４５  表示部
１０７、２４８、４４８  ＤＥＣＴ無線Ｉ／Ｆ部
１０８、２４９、４４９  ＤＥＣＴプロトコル制御部
１０９、２４７、３０９、４４７、５０６  制御部
１１０  呼制御部
１１２  音声ストリーム処理部
１１５  画像メモリ制御部
１１６  画像メモリ
１１７、２５５、３０７、５１５  音声バス
１２１、３２１、５０７  無線ＬＡＮ制御部
１２２、３２２、５０８  無線ＬＡＮ通信Ｉ／Ｆ部
１２６  子機／携帯端末充電部
１２７  ＵＳＢ通信Ｉ／Ｆ部
１２８、２５１、３２８、５１２  マイク
１２９、２５２、３２９、５１３  スピーカ
２５０、５５０  ２次電池
３１２  撮像部
３１３  赤外線センサ
３１５  画像メモリ
３１６  画像メモリ制御部
４４５  表示ランプ
４５０  充電池
４５３  センサ部
５０１  ３Ｇ無線Ｉ／Ｆ部
５０２  ３Ｇプロトコル制御部
５０３  表示／操作部
５１１  ＵＳＢ通信Ｉ／Ｆ部
５１４  監視機能制御部
【要約】
【課題】固定電話網に接続されて他の固定電話機と通話可能な既存の固定電話機を用いて、携帯電話端末とカメラとのデータの入出力を、ユーザの利便性を損なうことなく安価に実現する。
【解決手段】監視システムでは、親機は、表示入力部に対する第１操作に応じて、所定の音源リストデータを携帯電話端末に転送し、携帯電話端末は、親機から転送された所定の音源リストデータを表示入力部に表示し、音源リストデータからのいずれかの音源の選択操作に応じて、選択された音源に関する情報を親機に送信し、親機は、携帯電話端末から音源に関する情報を受信すると、選択された音源に関する情報に対応する選択音声データを監視カメラのスピーカから出力させる。
【選択図】図１０【図１】
0005866539.tif 000002
【図２】
0005866539.tif 000003
【図３】
0005866539.tif 000004
【図４】
0005866539.tif 000005
【図５】
0005866539.tif 000006
【図６】
0005866539.tif 000007
【図７】
0005866539.tif 000008
【図８】
0005866539.tif 000009
【図９】
0005866539.tif 000010
【図１０】
0005866539.tif 000011
【図１１】
0005866539.tif 000012